(57)【要約】【課題】  たくさんのメッセージやＢＧＭの追加や変更が高音質に必要最小限のコストアップで実現できるエレベータの自動放送装置を得る。【解決手段】  音声データの変更を行わない固定の標準的なメッセージの音声データを格納する第１の音声データ記憶手段１５と、着脱可能で、かつ音声データの変更を行う特殊なメッセージの音声データを格納する第２の音声データ記憶手段１７とを備え、第２の音声データ記憶手段１７が接続されたことを認識すると、第２の音声データ記億手段の音声データをもとにメッセージを再生する。【選択図】    図１
2005263397.tif 000002
【特許請求の範囲】
【請求項１】
音声データの変更を行わない固定の標準的なメッセージの音声データを格納する第１の音声データ記憶手段と、
着脱可能で、かつ音声データの変更を行う特殊なメッセージの音声データを格納する第２の音声データ記憶手段と、を備え、
前記第２の音声データ記憶手段が接続されたことを認識すると、第２の音声データ記億手段の音声データをもとにメッセージを再生することを特徴とするエレベータの自動放送装置。
【請求項２】
第１の音声データ記憶手段に格納された音声データと、第２の音声データ記億手段に格納された音声データのどちらを適用するかをメッセージ毎に示す音声データテーブルを備え、この音声データテーブルをもとにメッセージを選択して再生することを特徴とする請求項１記載のエレベータの自動放送装置。
【請求項３】
第２の音声データ記憶手段として、パーソナルコンピュータに接続可能なメモリカードを用い、パーソナルコンピュータで編集可能な音声データフォーマットを用いたことを特徴する請求項１又は請求項２記載のエレベータの自動放送装置。  
【請求項４】
かご操作盤の開口部からアクセスできる位置に第２の音声データ記憶手段を配置したことを特徴とする請求項１又は請求項２記載のエレベータの自動放送装置。
【請求項５】
音声データの変更を行わない固定の標準的なメッセージの音声データを格納する第１の音声データ記憶手段と、
着脱可能で、かつ音声データの変更を行う特殊なメッセージの音声データを格納する第２の音声データ記憶手段と、を備え、
インターネット経由で音声データを変更するエレベータの自動放送装置において、
第２の音声データ記憶手段に格納された音声データが変更処理されていることを認識すると、第１の音声データ記憶手段に格納された音声データをもとにメッセージを再生することを特徴とするエレベータの自動放送装置。
【発明の詳細な説明】
【技術分野】
【０００１】
この発明は、エレベータの自動放送装置に関するものである。
【背景技術】
【０００２】
従来、一般的なエレベータの自動放送装置においては、方向アナウンスやフロアアナウンス、管制アナウンス等の標準的なメッセージの音声データがＲＯＭに工場出荷段階で予め格納されている。これにより、自動放送装置を安価に構成できるようになったので、近年、エレベータを使う人のとまどいや不安を和らげたり視覚障害者にエレベータの運転状況を知らせたりするために適用されることが一般的になってきた（例えば、特許文献１及び特許文献２参照）。その一方で、従来の標準的なメッセージに加えて、様々なビル情報や利用者が必要とする情報を音で提供したいというニーズが増加しており、デパートなどでの各ホールの売り場情報やマンションでの組合情報などを自由に追加変更できることが重要になってきた。
【０００３】
【特許文献１】特開平２−９５６８２号公報（図３）
【特許文献２】特開２００３−９５５４８号公報（図３）
【発明の開示】
【発明が解決しようとする課題】
【０００４】
従来のエレベータの自動放送装置では、標準的なメッセージの音声データをＲＯＭに工場出荷段階で予め格納している構成のため、メッセージの内容を追加したり変更したりするには音声データを書き換えたＲＯＭに交換する必要があるが、ＲＯＭの容量には制限があるため実際には簡単なメッセージの追加や変更しかできず、たくさんのメッセージを追加したり高音質なＢＧＭを追加したりするには、大容量のＲＯＭを搭載可能な自動放送装置に変更したりしなければならず高価になるという問題があった。
【０００５】
この発明は、上述のような課題を解決するためになされたもので、たくさんのメッセージやＢＧＭの追加や変更が高音質に必要最小限のコストアップで実現できるエレベータの自動放送装置を提供するものである。
【課題を解決するための手段】
【０００６】
この発明に係るエレベータの自動放送装置においては、音声データの変更を行わない固定の標準的なメッセージの音声データを格納する第１の音声データ記憶手段と、着脱可能で、かつ音声データの変更を行う特殊なメッセージの音声データを格納する第２の音声データ記憶手段とを備え、第２の音声データ記憶手段が接続されたことを認識すると、第２の音声データ記億手段の音声データをもとにメッセージを再生するものである。
【発明の効果】
【０００７】
この発明によれば、標準的なメッセージを再生する放送装置を安価に実現できる。また、出荷後にメッセージの追加や変更が必要になった場合でも大容量のメモリカードを後付けすることで対応できるので、たくさんのメッセージやＢＧＭの追加や変更が高音質に必要最小限のコストアップで実現できる。
【発明を実施するための最良の形態】
【０００８】
実施の形態１．
図１はこの発明を実施するための実施の形態１におけるエレベータの自動放送装置の全体構成を示すシステム構成図、図２はこの発明の実施の形態１におけるエレベータの自動放送装置の動作を示すフローチャートである。
図１において、エレベータ全体の運転動作を制御する制御装置１は、エレベータの運転に応じたメッセージコードを選択するＣＰＵ２と、外部機器との信号の入出力を制御するシリアルインターフェース３とから構成されている。シリアル伝送路４は、エレベータの制御装置１と放送装置１１との間のデータ伝送を行う。エレベータの運転に応じたメッセージをかご内に放送する放送装置１１は、制御装置１とシリアル伝送路４を介してデータを入出力するシリアルインターフェース１２と、制御装置１から出力されるメッセージコードを音声合成用ＣＰＵ１４に出力するためのＣＰＵ１３と、標準的な音声データや擬音データを工場出荷段階で予め格納している第１の音声データ記憶手段である音声データメモリ１５と、工事毎の特殊な音声データやＢＧＭ用音楽データを格納する第２の音声記憶手段であるメモリカード１７と、メモリカード１７を制御するためのメモリカードインターフェース１６と、メッセージコードに応じた音声データを音声データメモリ１５もしくはメモリカード１７から読み出して予め定められたアルゴリズムによりディジタル化された音声データを復調しアナログ信号に変換する音声合成用ＣＰＵ１４と、変換されたアナログ信号から高周波ノイズを除去するフィルタ部１８と、フィルタ部１８から出力されたアナログ信号を増幅してスピーカ２０に出力する増幅部１９とから構成されている。
なお、音声データメモリ１５には、ＥＰＲＯＭやフラッシュメモリといったプリント基板に直接取り付けられた不揮発性メモリ等が適用されており、メモリカード１７には、コンパクトフラッシュ（登録商標）やスマートメディア（登録商標）といった専用のコネクタにより容易に取り付け、取り外しが可能なメディアが適用されている。
また、音声データメモリ１５に格納される音声データは、８〜１６kHzの比較的低いサンプリング周波数でサンプリングした一般的に公知のＡＤＰＣＭ（適応型差分パルス符号変調）やＤＰＣＭ（差分パルス符号変調）といった方式のデータで構成され、メモリカード１７に格納される音声データは、３２〜４４kHzの人間の可聴周波数範囲をカバーするサンプリング周波数でサンプリングした一般的に公知のwavやＭＰ３といった方式のデータで構成されている。ＡＤＰＣＭやＤＰＣＭは音質を若干犠牲にしてデータ量を大幅に減らすことができる方式であり、wavやＭＰ３は高音質なかわりに多くのデータ量を必要とする方式であり、高い周波数成分を含む音楽でも高音質で再生できる方式である。
【０００９】
次に、実施の形態１における放送装置１１の動作を図２により説明する。図２は音声合成用ＣＰＵ１４の動作を示すフローチャートである。
ステップＳ１でメモリカード１７が接続されているか否かを判定する。メモリカード１７が接続されているか否かは、例えばメモリカードを専用のコネクタに接続した時に有意になるハードウエア信号を、メモリカードインターフェース１６を通じて音声合成用ＣＰＵ１４が認識することで判断する。メモリカード１７が専用のコネクタに接続されており、そのことを音声合成用ＣＰＵ１４が認識したらステップＳ２に進み、エレベータの運転状況に応じて制御装置１から出力されるメッセージコードに対応した音声データをメモリカード１７から読み出して予め定められたアルゴリズムによりディジタル化された音声データを復調しアナログ信号に変換する。メモリカード１７には、例えば、４４kHzのサンプリング周波数でサンプリングされたwavフォーマットの工事毎の特殊な音声データやＢＧＭ用音楽データが格納されており、これにより、工事毎の特殊なメッセージを高音質で再生することができる。また、メモリカード１７が専用のコネクタに接続されておらず、そのことを音声合成用ＣＰＵ１４が認識したらステップＳ３に進み、エレベータの運転状況に応じて制御装置１から出力されるメッセージコードに対応した音声データを音声データメモリ１５から読み出して予め定められたアルゴリズムによりディジタル化された音声データを復調しアナログ信号に変換する。音声データメモリ１５には、例えば１６kHzのサンプリング周波数でサンプリングされたＡＤＰＣＭフォーマットの標準的な音声データが格納されており、これにより、標準的なメッセージを標準的な音質で再生することができる。
この実施の形態１によれば、標準的なメッセージを再生する放送装置を安価に実現できる。また、出荷後にメッセージの追加や変更が必要になった場合でも大容量のメモリカード１７を後付けすることで対応できるので、たくさんのメッセージやＢＧＭの追加や変更が高音質に必要最小限のコストアップで実現できる。
【００１０】
実施の形態２.
図３はこの発明の実施の形態２におけるエレベータの自動放送装置のメモリカードに格納された音声データテーブルを示す図、図４はこの発明の実施の形態２におけるエレベータの自動放送装置の動作を示すフローチャートである。
図３はメモリカード１７に格納された音声データテーブルを示し、制御装置１から出力されるメッセージコードに対応するメッセージを、音声データメモリ１５のものを選択するのか、メモリカード１７のものを選択するのかをメッセージコード毎に示すものである。これらは工事毎の特殊な音声データやＢＧＭ用音楽データとは別に格納されている。
例えば、１階到着時のメッセージが割付けられているメッセージコード１１において、音声データメモリ１５には標準的なメッセージである「１階です。」というメッセージが格納されており、メモリカード１７には工事毎の特殊なメッセージである「１階、食料品売り場でございます。」というメッセージが格納されている場合は、上記データテーブルによりメモリカード１７内の音声データを選択することができる。
また他の例として、地震時管制運転時のメッセージが割付けられているメッセージコード０５において、標準的なメッセージで対応し工事毎の特殊なメッセージは必要ない場合は、メモリカード１７にはメッセージコード０５に対応するメッセージを格納せず、上記データテーブルにより音声データメモリ１５に格納されている標準的なメッセージである「地震です。ドアが開いたらお降りください。」というメッセージを選択することができる。
なお、前記音声データテーブルは、図示しない保守ツールを使って外部から容易に値を変更できるようになっている。
【００１１】
次に、実施の形態２における放送装置１１の動作を図４により説明する。図４は音声合成用ＣＰＵ１４の動作を示すフローチャートである。
ステップＳ１１は図２のステップＳ１と同じであり、メモリカード１７が専用のコネクタに接続されており、そのことを音声合成用ＣＰＵ１４が認識したらステップＳ１２に進み、メモリカード１７に格納されたデータテーブルをもとにメッセージコードに対応する音声データの格納領域がメモリカード１７か音声データメモリ１５かを判定する。ここで入力したメッセージコードがメッセージコード１１だった場合は、該当のメッセージはメモリカード１７に割付けられているためステップＳ１３に進み、メッセージコードに対応した音声データをメモリカード１７から読み出して予め定められたアルゴリズムによりディジタル化された音声データを復調しアナログ信号に変換し、「１階、食料品売り場でございます。」というメッセージを再生する。ステップＳ１２において、入力したメッセージコードがメッセージコード０５だった場合は、該当のメッセージは音声データメモリ１５に割付けられているためステップＳ１４に進み、メッセージコードに対応した音声データを音声データメモリ１５から読み出して予め定められたアルゴリズムによりディジタル化された音声データを復調しアナログ信号に変換し、「地震です。ドアが開いたらお降りください。」というメッセージを再生する。
この実施の形態２によれば、重複するメッセージの音声データを格納する必要がないので、メモリカードのメモリ容量を必要最小限に抑えることができる。また、データテーブルの値を変更するだけで、標準的なメッセージと工事毎の特殊なメッセージとを容易に切り換えることができる。
【００１２】
実施の形態３.
図５はこの発明の実施の形態３におけるエレベータの自動放送装置を取り付けたかご操作盤の正面図である。
図５において、かごに設けられたかご操作盤５１は、かごの運転方向を表示する方向灯５２と、かごの現在位置を表示する階床表示器５３と、行先階を登録する行先釦５４と、戸開釦５５と、戸閉釦５６と、開口部５７と、開口部カバー６０とから構成されている。開口部５７の中には、保守点検用スイッチおよび管理人用スイッチ６１と、放送装置用プリント基板５８が内蔵されている。放送装置用プリント基板５８には、メモリカード接続用のコネクタ５９が実装されており、このコネクタ５９にメモリカード１７を取り付け、取り外しができる着脱可能な構成になっている。ここで、開口部カバー６０を開けると、メモリカード１７が容易に取り付け、取り外しができる位置に、放送装置用プリント基板５８およびコネクタ５９が配置されている。
この実施の形態３によれば、開口部カバー６０を開けるだけでメモリカード１７を容易に取り付け、取り外しができるので、出荷後のメモリカード１７の追加や交換が、短時間でかつ保守員など専門技術者でなくても容易に行うことができる。
【００１３】
実施の形態４.
図６はこの発明の実施の形態４におけるエレベータの自動放送装置の全体構成を示すシステム構成図、図７はこの発明の実施の形態４におけるエレベータの自動放送装置の動作を示すフローチャートである。
この実施の形態４の構成は、例えば特許文献２の図１と基本的には同じである。
図６において、８１はパーソナルコンピュータ、８２は携帯電話で、インターネット８３に接続可能になっている。８４はWWWサーバーで、メッセージの変更、追加、削除が可能な機能を有するwebコンテンツが設けられている。８５は制御装置で、図１の制御装置１とはインターネット８３に接続するための接続機能を有している点と、インターネット８３経由でWWWサーバー８４から入手した音声データを放送装置８６に転送する機能を有している点が大きく異なる。８６は放送装置で、図１の放送装置１１とは転送された制御装置８５から転送された音声データをメモリカード１７に転送する機能を有している点が大きく異なる。
【００１４】
次に、実施の形態４における放送装置８６の動作を図７により説明する。図７は音声合成用ＣＰＵ１４の動作を示すフローチャートである。
ステップＳ２１で、インターネット８３経由でWWWサーバー８４から入手した音声データをメモリカード１７に転送処理が行われているかを判断する。もし転送処理が開始されていればステップＳ２２に進み、エレベータの運転状況に応じて制御装置８５から出力されるメッセージコードに対応した音声データを音声データメモリ１５から読み出して予め定められたアルゴリズムによりディジタル化された音声データを復調しアナログ信号に変換し、標準的なメッセージを再生する。ステップＳ２１で音声データの転送処理がされていない場合や音声データの転送処理が完了した場合は、このフローチャートを抜けて、図２や図４に示す通常のフローチャートに戻る。
この実施の形態４によれば、音声データの変更中でも標準的なメッセージでの放送が可能であり、利用者に音声案内による最低限のサービスが可能になる。また、音声データや音楽データの編集やメモリカードヘの音声データの書込みを、パーソナルコンピュータを使って容易に実現できる。
【００１５】
上記実施の形態１〜実施の形態４では、かごに設置される自動放送装置について説明したが、各乗場に設置される自動放送装置にも同様に適用できることはもちろんである。
【図面の簡単な説明】
【００１６】
【図１】この発明の実施の形態１におけるエレベータの自動放送装置の全体構成を示すシステム構成図である。
【図２】この発明の実施の形態１におけるエレベータの自動放送装置の動作を示すフローチャートである。
【図３】この発明の実施の形態２におけるエレベータの自動放送装置のメモリカードに格納された音声データテーブルを示す図である。
【図４】この発明の実施の形態２におけるエレベータの自動放送装置の動作を示すフローチャートである。
【図５】この発明の実施の形態３におけるエレベータの自動放送装置を取り付けたかご操作盤の正面図である。
【図６】この発明の実施の形態４におけるエレベータの自動放送装置の全体構成を示すシステム構成図である。
【図７】この発明の実施の形態４におけるエレベータの自動放送装置の動作を示すフローチャートである。
【符号の説明】
【００１７】
１  エレベータの制御装置
２  ＣＰＵ
３  シリアルインターフェース
４  シリアル伝送路
１１  放送装置
１２  シリアルインターフェース
１３  ＣＰＵ
１４  音声合成用ＣＰＵ
１５  音声データメモリ
１６  メモリカードインターフェース
１７  メモリカード
１８  フィルタ部
１９  増幅部
２０  スピーカ
５１  かご操作盤
５２  方向灯
５３  階床表示器
５４  行先釦
５５  戸開釦
５６  戸閉釦
５７  開口部
５８  放送装置用プリント基板
５９  メモリカード接続用コネクタ
６０  開口部カバー
６１  保守点検用スイッチおよび管理人用スイッチ
８１  パーソナルコンピュータ
８２  携帯電話
８３  インターネット
８４  WWWサーバー
８５  制御装置
８６  放送装置
【図１】
2005263397.tif 000003
【図２】
2005263397.tif 000004
【図３】
2005263397.tif 000005
【図４】
2005263397.tif 000006
【図５】
2005263397.tif 000007
【図６】
2005263397.tif 000008
【図７】
2005263397.tif 000009